(57)【要約】      （修正有）【課題】本体とディスプレイとが別体のデスクトップ型コンピュータに取り付けられ、本体とディスプレイとを容易に一体化して省スペース化を図ることができるような、一体化装置を提供する。【解決手段】ディスプレイの背後に取り付けられる嵌合部材２０の嵌合突起２１が、本体を取り囲んで取り付けられるカバー部材３０の一部を構成し、本体の一方の側面に対応する位置において上下動不能な被嵌合部材４０の嵌合穴４４に嵌り込み、嵌合突起の水平幅狭部が嵌合穴の幅狭部に引っ掛かって、嵌合部材と被嵌合部材とが嵌合することにより、本体とディスプレイとが一体化される。【選択図】図６
0003134799.tif 000002
【実用新案登録請求の範囲】
【請求項１】
直方体を呈する筐体の内部に少なくとも演算処理手段を備える本体と、該本体とは別体であり、該本体に接続されて各種の情報を表示する表示装置と、を少なくとも含むデスクトップ型コンピュータに取り付けられ、前記本体と前記表示装置とを一体化するための一体化装置であって、
前記表示装置の背後に取り付けられる嵌合部材と、
前記本体を取り囲んで取り付けられ、該本体の一方の側面に対応する位置において上下動不能な被嵌合部材を備えるカバー部材と、
前記本体に取り付けられ、前記嵌合部材と前記被嵌合部材とが嵌合することにより前記表示装置と一体化された当該本体が転倒するのを防止する転倒防止部材と、
からなることを特徴とする一体化装置。
【考案の詳細な説明】
【技術分野】
【０００１】
本考案は、直方体を呈する筐体の内部に少なくとも演算処理手段を備える本体と、該本体とは別体であり、該本体に接続されて各種の情報を表示する表示装置と、を少なくとも含むデスクトップ型コンピュータに取り付けられ、前記本体と前記表示装置とを一体化するための一体化装置に関する。
【背景技術】
【０００２】
従来より、特許文献１に示すように、本体と表示装置である薄型のディスプレイ（例えば液晶ディスプレイやプラズマディスプレイ等）とが一体化されたデスクトップ型コンピュータが知られているが、依然として、本体とディスプレイとが別体のデスクトップ型コンピュータも広く用いられている。
【特許文献１】実用新案登録第３０９２０３４号公報
【考案の開示】
【考案が解決しようとする課題】
【０００３】
このように、本体とディスプレイとが別体のデスクトップ型コンピュータでは、ディスプレイと共に本体を机上に設置すると、該机上が狭くなるという問題がある一方、ディスプレイは机上に設置するが本体は床上に設置すると、該本体を蹴飛ばしたり該本体に埃が侵入して故障の原因となり、また該本体に設けられるディスクドライブにＣＤやＤＶＤ等のディスクを挿入するのが困難であり、また該本体に設けられる電源スイッチを操作するのが困難であり、さらに該本体に設けられるＵＳＢ端子に他のＵＳＢ機器を接続するのが困難であるという問題がある。かかる問題を解消するためには、特許文献１に示すように、本体とディスプレイとが一体化されたデスクトップ型コンピュータを机上に設置すれば良いが、該一体化されたデスクトップ型コンピュータに買い換えてデータの移行を行わなければならないため、費用及び手間がかかるという問題がある。
【０００４】
本考案は、このような背景のもとになされたものであり、その目的は、本体と表示装置とが別体のデスクトップ型コンピュータに取り付けられ、該本体と表示装置とを容易に一体化して省スペース化を図ることができるような、一体化装置を提供することにある。
【課題を解決するための手段】
【０００５】
本考案は、前記課題を解決するために、次のような手段を採る。なお後述する考案を実施するための最良の形態の説明及び図面で使用した符号を参考のために括弧書きで付記するが、本考案の構成要素は該付記したものには限定されない。
【０００６】
この請求項１に係る考案は、直方体を呈する筐体の内部に少なくとも演算処理手段を備える本体（１）と、該本体とは別体であり、該本体に接続されて各種の情報を表示する表示装置（ディスプレイ２）と、を少なくとも含むデスクトップ型コンピュータに取り付けられ、前記本体と前記表示装置とを一体化するための一体化装置（１０）であって、前記表示装置の背後に取り付けられる嵌合部材（２０）と、前記本体を取り囲んで取り付けられ、該本体の一方の側面に対応する位置において上下動不能な被嵌合部材（４０）を備えるカバー部材（３０）と、前記本体に取り付けられ、前記嵌合部材と前記被嵌合部材とが嵌合することにより前記表示装置と一体化された当該本体が転倒するのを防止する転倒防止部材（５０）と、からなることを特徴とする一体化装置である。
【考案の効果】
【０００７】
この請求項１に係る一体化装置によれば、表示装置の背後に取り付けられる嵌合部材と、本体を取り囲んで取り付けられるカバー部材の一部を構成し、該本体の一方の側面に対応する位置において上下動不能な被嵌合部材とが嵌合することにより、デスクトップ型コンピュータの本体と表示装置とを容易に一体化して省スペース化を図ることができる。
【考案を実施するための最良の形態】
【０００８】
以下、本考案に係る一体化装置１０について、図面を参照して説明する。この一体化装置１０は、図１及び図６に示すように、本体１と、該本体１とは別体のディスプレイ２とを少なくとも含むデスクトップ型コンピュータに取り付けられ、該本体１とディスプレイ２とを一体化するためのものであり、嵌合部材２０と、被嵌合部材４０を備えるカバー部材３０と、転倒防止部材５０と、からなるものである。以下においては、図６に示すように、一体化装置１０により一体化されたデスクトップ型コンピュータのディスプレイ２側（図では左側）を「前」と称し、本体１側（図では右側）を「後」と称する。
【０００９】
ここでデスクトップ型コンピュータの本体１は、直方体を呈する筐体の内部に少なくとも演算処理手段を備えるものであり、本例では、図示しないが、筐体の正面に、ＣＤやＤＶＤ等のディスクを挿入するディスク挿入口，電源を投入するための電源スイッチ，及びＵＳＢ機器を接続するためのＵＳＢ端子等を備えており、筐体の背面に、電源ケーブルを接続するための電源コネクタ，ＬＡＮケーブルを接続するためのＬＡＮ端子，及びディスプレイ２や他のＵＳＢ機器を接続するためのＵＳＢ端子等を備えており、筐体の内部に、演算処理手段（ＣＰＵ，ＲＯＭ，ＲＡＭ），マザーボード，前記ディスクの読み書きを行うためのディスクドライブ，及びハードディスク等を備えている、周知のものである。この本体１には、図示しないが、入力装置であるキーボード及びマウスも接続される。なお「直方体を呈する筐体」には、該筐体の角部がＲ加工されているものや、該筐体の表面に凹凸が形成されているものも含まれる。
【００１０】
またデスクトップ型コンピュータのディスプレイ２は、本体１に接続されて各種の情報（即ち演算処理手段による演算処理結果や、ハードディスクの記憶内容等）を表示する表示装置であり、本例では、ＶＥＳＡ（Video Electronics Standards Association）規格に準拠した薄型の液晶ディスプレイであって、その背後において、一辺が７５ｍｍ又は１００ｍｍの正方形の四隅の位置には、当該ディスプレイ２を支持するスタンドを取り付けるための４つのねじ穴が形成されている、周知のものである。なお「表示装置」には、他の薄型のディスプレイ（例えばプラズマディスプレイ等）も含まれる。
【００１１】
以下、一体化装置１０の各構成要素について説明する。まず第１に、嵌合部材２０は、図１に示すように、ディスプレイ２の背後に取り付けられるものである。この嵌合部材２０は、図２に示すように、金属製の正方形の薄板が加工されてなるものであり、８つのねじ穴２０ａと、１つの嵌合突起２１と、２つの後方突出部２２と、１つの偏心ゴム円柱２３と、１つの軸２４とを備えている、左右対称の部材である。
【００１２】
ここでねじ穴２０ａのうちの４つは、一辺が７５ｍｍの正方形の四隅の位置に設けられており、またねじ穴２０ａのうちの他の４つは、一辺が１００ｍｍの正方形の四隅の位置に設けられていて、７５ｍｍピッチで４つのねじ穴が形成されているディスプレイ２，又は１００ｍｍピッチで４つのねじ穴が形成されているディスプレイ２のいずれに対しても、ねじ止めにより取り付けることができるように構成されている。
【００１３】
嵌合突起２１は、金属製の薄板が折り曲げ加工されてなるものであり、嵌合部材２０の上側に溶接される鉛直の溶接部２１ｄと、該溶接部２１ｄの下端から水平かつ後方（図２（ｂ）では左側）に延設される水平幅狭部２１ｃと、該水平幅狭部２１ｃの先端から所定角度で後方に延設される傾斜幅狭部２１ｂと、該傾斜幅狭部２１ｂの下端から水平かつ後方に延設される幅広部２１ａとを有する。
【００１４】
後方突出部２２は、前記金属製の薄板である嵌合部材２０の下縁部において、中心線上の所定長さが打ち抜かれると共に、該打ち抜かれた中心線の上端から左右両方向に前記嵌合突起２１と略同等の長さが打ち抜かれ、該打ち抜かれた部分が左右両辺を支点として後方に９０度で折り曲げ加工されてなるものである。
【００１５】
偏心ゴム円柱２３は、ゴム製の円柱の中心軸から偏心した位置に貫通穴が形成されており、該貫通穴に軸２４が挿通されて横倒しにした状態で２つの後方突出部２２の間に装着されることにより、水平な該軸２４周りに回動可能に支持されるものである。
【００１６】
また第２に、カバー部材３０は、図１及び図６に示すように、本体１を取り囲んで取り付けられ、該本体１の一方の側面（ここでは右側面）に対応する位置において上下動不能な被嵌合部材４０を備えるものであり、ここでは上側ベルト３１と、ベルト固定部材３３と、下側ベルト３２と、被嵌合部材４０とが、環状に接続されてなるものである。上側ベルト３１及び下側ベルト３２は、布，皮，又は合成ゴム等のベルトである。ここで上側ベルト３１の先端は、被嵌合部材４０の後述する上側ベルト接続穴４１ａに挿通されて固定され、後端は、ベルト固定部材３３に挿通されて固定される。また下側ベルト３２の先端は、被嵌合部材４０の後述する下側ベルト接続穴４６ａに挿通されて固定され、後端は、ベルト固定部材３３に挿通されて固定される。これら上側ベルト３１及び下側ベルト３２において、カバー部材３０が本体１に取り付けられたときに該本体の角に接する部分には、布製のコーナーパッドが設けられている。ベルト固定部材３３は、金属製の薄板が加工されてなるものであり、該ベルト固定部材３３に挿通されて固定される上側ベルト３１と下側ベルト３２を引き締めることができるように構成されている。
【００１７】
また第３に、被嵌合部材４０は、図３に示すように、金属製の薄板が折り曲げ加工されてなるものであり、本体１の上面に接する水平部４１と、該水平部４１の先端から鉛直下方に延設され、本体１の右側面に接する上側鉛直部４２と、該上側鉛直部４２の下端から前方に突出するＣ字状の前方突出部４３と、該前方突出部４３の下端から鉛直下方に延設され、前記上側鉛直部４２と同一面状で本体１の右側面に接する下側鉛直部４６とを備えている、左右対称の部材である。
【００１８】
ここで水平部４１の後端には、上側ベルト３１の先端が挿通されて固定される上側ベルト接続穴４１ａが形成されており、下側鉛直部４６の下端には、下側ベルト３２の先端が挿通されて固定される下側ベルト接続穴４２ａが形成されている。この被嵌合部材４０は、水平部４１の内側が本体１の上面に接すると共に、上側鉛直部４２及び下側鉛直部４６の内側が本体１の右側面に接し、かつ当該被嵌合部材４０に接続された上側ベルト３１及び下側ベルト３２がベルト固定部材３３により引き締められていることにより、本体１の一方の側面において上下動不能なようにカバー部材３０に備えられていることになる。
【００１９】
また前方突出部４３の鉛直部分には、上段嵌合穴４４及び下段嵌合穴４５の２つの嵌合穴が形成されている。これら嵌合穴は、前記金属製の薄板である被嵌合部材４０が逆凸字状に打ち抜かれてなるものであり、各嵌合穴の各々が、当該逆凸字状の上側部分に対応する幅広部４４ａ，４５ａと、下側部分に対応する幅狭部４４ｂ，４５ｂとを有する。ここで幅広部４４ａ，４５ａは、嵌合突起２１の幅広部２１ａが挿通可能な幅であり、幅狭部４４ｂ，４５ｂは、嵌合突起２１の傾斜幅狭部２１ｂ及び水平幅狭部２１ｃが挿通可能である一方、幅広部２１ａは挿通不能な幅である
【００２０】
さらに第４に、転倒防止部材５０は、図１及び図６に示すように、本体１に取り付けられ、嵌合部材２０と被嵌合部材４０とが後述する図５に示すように嵌合することによりディスプレイ２と一体化された当該本体１が転倒するのを防止するものである。この転倒防止部材５０は、図４に示すように、互いに嵌合する前側部材５１及び後側部材５２からなる。
【００２１】
ここで前側部材５１は、合成樹脂により形成され、前後方向の中央から鉛直上向きに突出する本体挟持突起５１ａと、該本体挟持突起５１ａの後側に位置する上向きラック５１ｂと、前記本体挟持突起５１ａの前側に位置する前方支持部５１ｃとを備えている、左右対称の部材である。また後側部材５２も、合成樹脂により形成され、前後方向の中央から鉛直上向きに突出する本体挟持突起５２ａと、該本体挟持突起５１ａの前側に位置する下向きラック５２ｂと、前記本体挟持突起５２ａの後側に位置する後方支持部５２ｃとを備えている、左右対称の部材である。これら前側部材５１の上向きラック５１ｂと後側部材５２の下向きラック５２ｂとが嵌合することにより、転倒防止部材５０が構成される。
【００２２】
以下、一体化装置１０の作用及び効果について説明する。まずステップ１として、図１に示すように、ディスプレイ２の背後に、嵌合突起２１，後方突出部２２，及び偏心ゴム円柱２３が手前側に向くように、嵌合部材２０をねじで取り付ける。また本体１を取り囲むように、カバー部材３０を取り付け、被嵌合部材４０において、水平部４１の内側が本体１の上面に接すると共に、上側鉛直部４２及び下側鉛直部４６の内側が本体１の右側面に接し、かつ当該被嵌合部材４０に接続された上側ベルト３１及び下側ベルト３２をベルト固定部材３３により引き締めることにより、当該被嵌合部材４０を本体１の一方の側面において上下動不能なように固定する。
【００２３】
次にステップ２として、転倒防止部材５０において、上向きラック５１ｂと下向きラック５２ｂの嵌合位置を変更することにより、本体挟持突起５１ａと本体挟持突起５２ａとの間隔が本体１の前後方向の幅よりもやや広くなるように調節し、該調節された２つの転倒防止部材５０の各々を、キーボード保持突起５１ｄが手前側に向くように、適宜の間隔をあけて並行に配置し、該配置された２つの転倒防止部材５０における本体挟持突起５１ａと本体挟持突起５２ａとの間に、カバー部材３０が取り付けられた本体１を挿入して、該本体１を２つの転倒防止部材５０の上に載置することにより、本体１を転倒防止部材５０で挟持する。
【００２４】
次にステップ３として、図５（ａ）に示すように、本体１に取り付けられた被嵌合部材４０とディスプレイ２に取り付けられた嵌合部材２０とが対向するように、該ディスプレイ２を保持し、図５（ｂ）に示すように、該ディスプレイ２を後方に移動させることにより、嵌合部材２０の嵌合突起２１の幅広部２１ａを、前記２つの嵌合穴のいずれかの幅広部（ここでは上段嵌合穴４４の幅広部４４ａ）に嵌め込み、図５（ｃ）に示すように、該ディスプレイ２を後方かつ下方（図では右斜め下方向）に移動させて手を離すことにより、嵌合突起２１の水平幅狭部２１ｃが嵌合穴の幅狭部（ここでは上段嵌合穴４４の幅狭部４４ｂ）に引っ掛かって、嵌合部材２０と被嵌合部材４０とが嵌合し、本体１とディスプレイ２とが一体化される。この嵌合突起２１を嵌合する嵌合穴は、ディスプレイ２の大きさや操作者の目線の高さ等に応じて、適宜選択すれば良い。そして図５（ｄ）に示すように、偏心ゴム円柱２３を軸２４周りに回動させ、後方突出部２２と本体１との間の距離を任意に変化させることにより、嵌合突起２１の水平幅狭部２１ｃを支点として該嵌合部材２０と被嵌合部材４０との角度を変化させて、ディスプレイ２の傾斜角度を調節して、図６に示す状態となる。ここで一体化されたディスプレイ２の質量により、該一体化された本体１を前方に転倒させようとするモーメントが作用するが、該本体１を挟持している転倒防止部材５０の前方支持部５１ｃによって当該モーメントが打ち消されるので、該本体１が転倒することはない。
【００２５】
以上に説明した一体化装置１０によれば、ディスプレイ２の背後に取り付けられる嵌合部材２０と、本体１を取り囲んで取り付けられるカバー部材３０の一部を構成し、該本体の一方の側面に対応する位置において上下動不能な被嵌合部材４０とが嵌合することにより、デスクトップ型コンピュータの本体１とディスプレイ２とを容易に一体化して省スペース化を図ることができる。
【００２６】
これにより、該一体化されたデスクトップ型コンピュータを机上に配置しても、該机上が狭くなることが無く、またコンピュータ買い換えてデータの移行を行う必要がないため、費用及び手間がかからない。またデスクトップ型コンピュータのメーカーを問わずに適用可能であり、さらに本体１とディスプレイ２のメーカーが異なっていても適用可能である。またデスクトップ型コンピュータが持っている機能を一切制限することなく、低コストで、極めて容易に、一体型のデスクトップ型コンピュータを構築することができる。
【００２７】
最後に、本考案の変形例について説明する。
【００２８】
上記の実施形態では、デスクトップ型コンピュータの本体１に、ディスクドライブやハードディスクが内蔵されている例について説明したが、これに限らず、これらは本体１に外付けされるものであっても良い。即ち本体１は、直方体を呈する筐体の内部に少なくとも演算処理手段を備えるものであれば良い。
【００２９】
上記の実施形態では、デスクトップ型コンピュータの本体１に、ディスプレイ２や、図示しないキーボード及びマウスが、有線で接続される例について説明したが、これに限らず、これらは無線で接続されるものであっても良い。
【００３０】
上記の実施形態では、図２に示す嵌合部材２０及び図３に示す被嵌合部材４０が、金属製である例について説明したが、これに限らず、これらの一方又は両方が、例えば合成樹脂等の他の材質であっても良い。
【００３１】
上記の実施形態では、図３に示すように、被嵌合部材４０において、上段嵌合穴４４及び下段嵌合穴４５の２つの嵌合穴が形成されている例について説明したが、これら嵌合穴の数は特に限定されず、１つであっても良く、また３つ以上であっても良い。
【００３２】
上記の実施形態では、図１及び図６に示すように、カバー部材３０が、上側ベルト３１と、下側ベルト３２と、金属製のベルト固定部材３３と、金属製の被嵌合部材４０からなる例について説明したが、これに限らず、これらの一部又は全部が、例えば合成樹脂や金属等の他の材質であっても良い。ここでカバー部材３０の全体を合成樹脂や金属により構成した場合には、本体１の全周を取り囲むものではなく、本体１の一方の側面を含む少なくとも２面を取り囲むものであっても良く、具体的には、カバー部材３０を側面視でＣ字状に構成し、左側面の上側，上面，右側面，底面，及び左側面の下側を取り囲むものや、カバー部材３０を側面視でＵ字状に構成し、左側面，底面，及び右側面を取り囲むものや、カバー部材３０を側面視で逆Ｕ字状に構成し、左側面，上面，及び右側面を取り囲むものや、カバー部材３０をＬ字状に構成し、底面，及び右側面を取り囲むもの等であっても良い。さらにこれらの場合には、様々なサイズの本体１を取り囲むことができるように、カバー部材３０を上下方向及び左右方向に伸縮可能なように構成しても良い。即ちカバー部材３０は、本体１を取り囲んで取り付けられ、該本体１の一方の側面に対応する位置において上下動不能な被嵌合部材４０を備えるものであれば良い。
【００３３】
上記の実施形態では、図４に示すように、転倒防止部材５０において、前側部材５１の上向きラック５１ｂとが後側部材５２の下向きラック５２ｂとが嵌合する例について説明したが、これに限らず、前側部材５１の上向きラック５１ｂを無くして上向き面ファスナーを設けると共に、後側部材５２の下向きラック５２ｂを無くして下向き面ファスナーを設け、上向き面ファスナーと下向き面ファスナーとが貼着されるようにしても良い。また転倒防止部材５０は、前側部材５１と後側部材５２とが嵌合してなるものではなく、ブックスタンドの如く、前側部材と後側部材とが独立しており、各々が本体１に固着されるものであっても良く、またディスプレイ２と一体化されたときに前記モーメントが作用するのは前側のみなので、前側部材のみとしても良い。さらに転倒防止部材５０は、クランプ等によりデスクトップ型コンピュータが設置される机と固定されるものであっても良い。即ち転倒防止部材５０は、ディスプレイ２と一体化された本体１が転倒するのを防止するものであれば良い。
【図面の簡単な説明】
【００３４】
【図１】図１はデスクトップ型コンピュータに本考案に係る一体化装置を取り付けた様子の一例を表す斜視図である。
【図２】図２は一体化装置の嵌合部材の一例を表す図であり、（ａ）は正面図，（ｂ）は右側面断面図である。
【図３】図３は一体化装置の被嵌合部材の一例を表す図であり、（ａ）は正面図，（ｂ）は右側面断面図である。
【図４】図４は一体化装置の転倒防止部材の一例を表す斜視図である。
【図５】図５は嵌合部材と被嵌合部材とが嵌合する様子の一例を表す側面図である。
【図６】図６は一体化装置により本体とディスプレイとが一体化されたデスクトップ型コンピュータの一例を表す側面図である。
【符号の説明】
【００３５】
１…本体
２…ディスプレイ
１０…一体化装置
２０…嵌合部材
３０…カバー部材
４０…被嵌合部材
５０…転倒防止部材
【図１】
0003134799.tif 000003
【図２】
0003134799.tif 000004
【図３】
0003134799.tif 000005
【図４】
0003134799.tif 000006
【図５】
0003134799.tif 000007
【図６】
0003134799.tif 000008